(57)【要約】【課題】収納される物品の幅方向の位置を適切に規制することができると共に構成の複雑化を抑制できる物品収納棚の実現。【解決手段】複数本の支柱と、幅方向に並ぶ一対の支柱に亘って架設された梁部材と、棚形成部材３と、を備え、棚形成部材３を、一対の梁部材に亘って少なくとも一対架設し、一対の棚形成部材３の夫々は、一枚の屈曲された板状部材で構成されて、幅方向Ｙ及び奥行方向に沿う棚板部６と、棚板部６から上側に屈曲されたガイド部７と、ガイド部７から下側に折り返すように屈曲された折り返し部８と、を有し、幅方向Ｙに隣接する一対の棚形成部材３の一対のガイド部７の間に、一対の当該棚形成部材３の一対の棚板部６を配置する。【選択図】図８
2020152553.tif 000002
【特許請求の範囲】
【請求項１】
幅方向に並ぶ状態で立設された複数本の支柱と、
前記幅方向に沿って配置され且つ前記幅方向に並ぶ一対の前記支柱に亘って架設された梁部材と、
棚形成部材と、を備え、
上下方向に沿う上下方向視で前記幅方向と直交する方向を奥行方向として、
前記梁部材は、前記奥行方向に離間して少なくとも一対備えられ、
前記棚形成部材が、前記奥行方向に沿って配置され且つ一対の前記梁部材に亘って少なくとも一対架設され、
一対の前記棚形成部材の夫々は、一枚の屈曲された板状部材で構成されて、前記幅方向及び前記奥行方向に沿う棚板部と、前記棚板部から上側に屈曲されたガイド部と、前記ガイド部から下側に折り返すように屈曲された折り返し部と、を有し、
前記幅方向に隣接する一対の前記棚形成部材の一対の前記ガイド部の間に、一対の当該棚形成部材の一対の前記棚板部が配置されている、物品収納棚。
【請求項２】
前記奥行方向における間口が形成される側を手前側とし、その反対側を奥側として、
前記棚形成部材は、前記ガイド部における前記手前側の端部に案内端部を有し、
一対の前記棚形成部材の一対の前記案内端部は、下側から上側に向かうに従って前記幅方向の外側に互いに広がると共に前記奥側から前記手前側に向かうに従って前記幅方向の外側に互いに広がる形状とされている、請求項１に記載の物品収納棚。
【請求項３】
前記奥行方向における間口が形成される側を手前側とし、その反対側を奥側として、
前記棚形成部材は、前記ガイド部における前記棚板部及び前記折り返し部より前記手前側に突出する部分に案内端部を有し、
一対の前記棚形成部材の一対の前記案内端部は、前記奥側から前記手前側に向かうに従って前記幅方向の外側に互いに広がる形状とされている、請求項１に記載の物品収納棚。
【請求項４】
前記棚形成部材によって支持される物品を対象物品とし、当該対象物品の前記幅方向の大きさを対象物品幅として、
前記幅方向に隣接する一対の前記棚形成部材の一対の前記ガイド部の前記幅方向の間隔は前記対象物品幅より大きく、前記幅方向に隣接する一対の前記棚形成部材の一対の前記棚板部の前記幅方向の間隔は前記対象物品幅より小さい、請求項１から３のいずれか一項に記載の物品収納棚。
【請求項５】
前記ガイド部と前記折り返し部とが、前記幅方向に隣接すると共に互いに平行に配置されている、請求項１から４のいずれか一項に記載の物品収納棚。
【発明の詳細な説明】
【技術分野】
【０００１】
本発明は、幅方向に並ぶ状態で立設された複数本の支柱と、前記幅方向に沿って配置され且つ前記幅方向に並ぶ一対の前記支柱に亘って架設された梁部材と、棚形成部材と、を備えた物品収納棚に関する。
【背景技術】
【０００２】
このような物品収納棚として、例えば、特開２０１３−２２４１８５号公報（特許文献１）に記載されたものが知られている。以下、背景技術の説明において、かっこ書きの符号又は名称は、先行技術文献における符号又は名称とする。この特許文献１に記載の物品収納棚は、奥行方向の一方側に間口が形成されており、その間口を通して、棚形成部材（支持体１７）上に物品が収納されると共に棚形成部材上から物品が取り出される。また、特開２０１３−３５６７２号公報（特許文献２）に記載の物品収納棚は、物品を収納する又は取り出す際にその物品の幅方向の位置を規制するガイド（２５）を備えている。
【先行技術文献】
【特許文献】
【０００３】
【特許文献１】特開２０１３−２２４１８５号公報
【特許文献２】特開２０１３−０３５６７２号公報
【発明の概要】
【発明が解決しようとする課題】
【０００４】
特許文献１のような支柱（１１）と梁部材（ビーム材１６）と棚形成部材とを備えた物品収納棚において、特許文献２に開示されているように、収納される物品の幅方向の位置を規制するガイドを設けることが考えられる。しかし、特許文献１の物品収納棚において、支柱と梁部材と棚形成部材とに加えてガイドを備える構成とすると、物品収納棚の構成が複雑になり物品収納棚の製造コストが高くなり易い。
【０００５】
そこで、収納される物品の幅方向の位置を適切に規制することができると共に構成の複雑化を抑制できる物品収納棚の実現が望まれる。
【課題を解決するための手段】
【０００６】
上記に鑑みた、物品収納棚の特徴構成は、幅方向に並ぶ状態で立設された複数本の支柱と、前記幅方向に沿って配置され且つ前記幅方向に並ぶ一対の前記支柱に亘って架設された梁部材と、棚形成部材と、を備え、上下方向に沿う上下方向視で前記幅方向と直交する方向を奥行方向として、前記梁部材は、前記奥行方向に離間して少なくとも一対備えられ、前記棚形成部材が、前記奥行方向に沿って配置され且つ一対の前記梁部材に亘って少なくとも一対架設され、一対の前記棚形成部材の夫々は、一枚の屈曲された板状部材で構成されて、前記幅方向及び前記奥行方向に沿う棚板部と、前記棚板部から上側に屈曲されたガイド部と、前記ガイド部から下側に折り返すように屈曲された折り返し部と、を有し、前記幅方向に隣接する一対の前記棚形成部材の一対の前記ガイド部の間に、一対の当該棚形成部材の一対の前記棚板部が配置されている点にある。
【０００７】
この特徴構成によれば、一枚の板状部材を屈曲させることで、棚板部とガイド部と折り返し部とを備えた棚形成部材を形成することができる。そのため、棚板部が支持する物品の幅方向の位置を規制するガイド部を、棚形成部材とは別部材で構成して棚形成部材に固定する場合に比べて、物品収納棚を安価に構成し易くなる。また、棚形成部材は折り曲げ部を有することでこの折り曲げ部を、ガイド部を補強する強度メンバとして機能させることができる。そのため、ガイド部が変形し難くなり、ガイド部によって物品の幅方向の位置を適切に規制することができる。このように、本構成によれば、収納される物品の幅方向の位置を適切に規制することができると共に構成の複雑化を抑制できる物品収納棚を実現することが可能となる。
【図面の簡単な説明】
【０００８】
【図１】物品収納棚の正面図
【図２】梁部材及び棚形成部材の正面図
【図３】梁部材及び棚形成部材の側面図
【図４】梁部材及び棚形成部材の平面図
【図５】棚形成部材の平面図
【図６】棚形成部材の正面図
【図７】棚形成部材の側面図
【図８】棚形成部材の幅と物品の幅とを示す正面図
【図９】別の実施形態の棚形成部材の正面図
【図１０】別の実施形態の棚形成部材の平面図
【図１１】別の実施形態の棚形成部材の正面図
【図１２】別の実施形態の棚形成部材の平面図
【図１３】別の実施形態の棚形成部材の正面図
【図１４】別の実施形態の棚形成部材の正面図
【発明を実施するための形態】
【０００９】
１．実施形態
物品収納棚の実施形態について図面に基づいて説明する。
図１〜図４に示すように、物品収納棚１００は、幅方向Ｙに並ぶ状態で立設された複数本の支柱１と、幅方向Ｙに沿って配置されて且つ幅方向Ｙに並ぶ一対の支柱１に亘って架設された梁部材２と、棚形成部材３と、を備えている。以下、上下方向Ｚに沿う上下方向視で幅方向Ｙに対して直交する方向を奥行方向Ｘとする。また、奥行方向Ｘの一方側を奥行方向第１側Ｘ１と称し、その反対側を奥行方向第２側Ｘ２と称する。また、幅方向Ｙの一方側を幅方向第１側Ｙ１と称し、その反対側を幅方向第２側Ｙ２と称する。
【００１０】
図３及び図４に示すように、支柱１として、第１支柱１Ａとこの第１支柱１Ａに対して奥行方向第２側Ｘ２に立設された第２支柱１Ｂとがある。第１支柱１Ａは、幅方向Ｙに並ぶ状態で複数本立設されており、第２支柱１Ｂは、第１支柱１Ａに対して奥行方向第２側Ｘ２において、幅方向Ｙに並ぶ状態で複数本立設されている。
【００１１】
梁部材２は、奥行方向Ｘに離間して少なくとも一対備えられている。本実施形態では、第１梁部材２Ａと、この第１梁部材２Ａに対して奥行方向第２側Ｘ２にある第２梁部材２Ｂと、の一対の梁部材２が備えられている。第１梁部材２Ａにおける幅方向Ｙの両端部は第１支柱１Ａに連結されており、第１梁部材２Ａは、幅方向Ｙに並ぶ一対の第１支柱１Ａに亘って架設されている。また、第２梁部材２Ｂにおける幅方向Ｙの両端部は第２支柱１Ｂに連結されており、第２梁部材２Ｂは、幅方向Ｙに並ぶ一対の第２支柱１Ｂに亘って架設されている。
【００１２】
棚形成部材３は、奥行方向Ｘに沿って配置され且つ一対の梁部材２に亘って少なくとも一対架設されている。本実施形態では、棚形成部材３の奥行方向第１側Ｘ１の端部が第１梁部材２Ａに連結され、棚形成部材３の奥行方向第２側Ｘ２の端部が第２梁部材２Ｂに連結されており、棚形成部材３は、第１梁部材２Ａと第２梁部材２Ｂとに亘って架設されている。そして、幅方向Ｙに並ぶ一対の棚形成部材３を組として、棚形成部材３は、幅方向Ｙに並ぶ状態で複数組設置されている。以下、一つの組を形成する一対の棚形成部材３を一対の棚形成部材３と略称して説明する。
【００１３】
図５及び図６に示すように、一対の棚形成部材３の夫々は、一枚の屈曲された板状部材で構成されている。つまり、一対の棚形成部材３の夫々は、一枚の板状部材を屈曲させることで形成されている。一対の棚形成部材３は、幅方向Ｙ及び奥行方向Ｘに沿う棚板部６と、棚板部６から上側に屈曲されたガイド部７と、ガイド部７から下側に折り返すように屈曲された折り返し部８と、棚板部６から下側に屈曲された折り曲げ部９と、有している。そして、図８に示すように、幅方向Ｙに隣接する一対の棚形成部材３の一対のガイド部７の間に、一対の当該棚形成部材３の一対の棚板部６が配置されている。
【００１４】
次に、棚形成部材３について説明を加えるが、一対の棚形成部材３における幅方向第１側Ｙ１の棚形成部材３を第１棚形成部材３Ａと称し、一対の棚形成部材３における幅方向第２側Ｙ２の棚形成部材３を第２棚形成部材３Ｂと称して説明する。
【００１５】
図５から図８に示すように、第１棚形成部材３Ａのガイド部７（以下、第１ガイド部７Ａと称する）は、第１棚形成部材３Ａの棚板部６（以下、第１棚板部６Ａと称する）の幅方向第１側Ｙ１の端部から上側に屈曲された形状に形成されている。本例では、この第１ガイド部７Ａは、第１棚板部６Ａに対して９０度屈曲されており、上下方向Ｚ及び奥行方向Ｘに沿う姿勢となっている。これにより、奥行方向Ｘに沿う奥行方向Ｘ視での第１棚板部６Ａと第１ガイド部７Ａとのなす角度は９０度とされている。また、第１棚形成部材３Ａの折り返し部８（以下、第１折り返し部８Ａと称する）は、第１ガイド部７Ａの上端から下側に屈曲させた形状に形成されている。本例では、この第１折り返し部８Ａは、第１ガイド部７Ａに対して１８０度屈曲されており、上下方向Ｚ及び奥行方向Ｘに沿う姿勢となっている。そして、第１ガイド部７Ａと第１折り返し部８Ａとは、幅方向Ｙに隣接すると共に互いに平行に配置されている。これにより、奥行方向Ｘ視での第１ガイド部７Ａと第１折り返し部８Ａとのなす角度は０度とされている。本実施形態では、第１ガイド部７Ａに対する第１折り返し部８Ａの屈曲加工をヘミング加工により行っている。また、第１棚形成部材３Ａの折り曲げ部９（以下、第１折り曲げ部９Ａと称する）は、第１棚板部６Ａの幅方向第２側Ｙ２の端部から下側に屈曲された形状に形成されている。この第１折り曲げ部９Ａは、第１棚板部６Ａに対して９０度屈曲されており、上下方向Ｚ及び奥行方向Ｘに沿う姿勢となっている。これにより、奥行方向Ｘ視での第１棚板部６Ａと第１折り曲げ部９Ａとのなす角度は９０度とされている。
【００１６】
図８に示すように、第２棚形成部材３Ｂのガイド部７（以下、第２ガイド部７Ｂと称する）は、第２棚形成部材３Ｂの棚板部６（以下、第２棚板部６Ｂと称する）の幅方向第２側Ｙ２の端部から上側に屈曲された形状に形成されている。本例では、この第２ガイド部７Ｂは、第２棚板部６Ｂに対して９０度屈曲されており、上下方向Ｚ及び奥行方向Ｘに沿う姿勢となっている。これにより、奥行方向Ｘ視での第２棚板部６Ｂと第２ガイド部７Ｂとのなす角度は９０度とされている。また、第２棚形成部材３Ｂの折り返し部８（以下、第２折り返し部８Ｂと称する）は、第２ガイド部７Ｂの上端から下側に屈曲された形状に形成されている。本例では、この第２折り返し部８Ｂは、第２ガイド部７Ｂに対して１８０度屈曲されており、上下方向Ｚ及び奥行方向Ｘに沿う姿勢となっている。そして、第２ガイド部７Ｂと第２折り返し部８Ｂとは、幅方向Ｙに隣接すると共に互いに平行に配置されている。これにより、奥行方向Ｘ視での第２ガイド部７Ｂと第２折り返し部８Ｂとのなす角度は０度とされている。本実施形態では、第２ガイド部７Ｂに対する第２折り返し部８Ｂの屈曲加工をヘミング加工により行っている。また、第２棚形成部材３Ｂの折り曲げ部９（以下、第２折り曲げ部９Ｂと称する）は、第２棚板部６Ｂの幅方向第１側Ｙ１の端部から下側に屈曲された形状に形成されている。この第２折り曲げ部９Ｂは、第２棚板部６Ｂに対して９０度屈曲されており、上下方向Ｚ及び奥行方向Ｘに沿う姿勢となっている。これにより、奥行方向Ｘ視での第２棚板部６Ｂと第２折り曲げ部９Ｂとのなす角度は９０度とされている。
【００１７】
一対の棚形成部材３の第１ガイド部７Ａと第２ガイド部７Ｂとの間に、一対の当該棚形成部材３の第１棚板部６Ａと第２棚板部６Ｂとが配置される。そして、図８に示すように、棚形成部材３によって支持される物品Ｗを対象物品ＷＴとし、当該対象物品ＷＴの幅方向Ｙの大きさを対象物品幅Ｓとして、幅方向Ｙに隣接する一対の棚形成部材３の一対のガイド部７の幅方向Ｙの間隔Ｓ３は対象物品幅Ｓより大きく、幅方向Ｙに隣接する一対の棚形成部材３の一対の棚板部６の幅方向Ｙの間隔Ｓ４は対象物品幅Ｓより小さい。
【００１８】
本実施形態では、対象物品ＷＴにおける最も下側に位置する底部Ｗ１を棚形成部材３によって下側から支持する。この底部Ｗ１の幅方向Ｙの大きさは、対象物品ＷＴにおける底部Ｗ１より上側の部分である上部Ｗ２の幅方向Ｙの大きさより小さい。ここでは、底部Ｗ１の幅方向Ｙの大きさを第１対象物品幅Ｓ１としている。また、上部Ｗ２における、幅方向Ｙに沿う幅方向Ｙ視でガイド部７と重なる部分の最も幅方向Ｙに大きい部分の幅方向Ｙの大きさを第２対象物品幅Ｓ２としている。そして、第１ガイド部７Ａの幅方向第２側Ｙ２の端部と第２ガイド部７Ｂの幅方向第１側Ｙ１の端部との間隔Ｓ３は第２対象物品幅Ｓ２より大きく、第１棚板部６Ａの幅方向第２側Ｙ２の端部と第２棚板部６Ｂの幅方向第１側Ｙ１の端部との間隔Ｓ４は第１対象物品幅Ｓ１より小さくなっている。本実施形態では、第１ガイド部７Ａの上端や第２ガイド部７Ｂの上端は、対象物品ＷＴにおける上部Ｗ２の上下方向Ｚの幅内に位置している。第１ガイド部７Ａ及び第２ガイド部７Ｂは、対象物品ＷＴは、対象物品ＷＴの上部Ｗ２に接触することで対象物品ＷＴを案内する。
【００１９】
図３及び図４に示すように、奥行方向Ｘにおける間口１１が形成される側を手前側Ｆとし、その反対側を奥側Ｒとして、棚形成部材３は、ガイド部７における手前側Ｆの端部に案内端部１２を有している。そして、一対の棚形成部材３の一対の案内端部１２は、奥側Ｒから手前側Ｆに向かうに従って幅方向Ｙの外側に互いに広がる形状とされている。また本実施形態では、一対の棚形成部材３の一対の案内端部１２は、下側から上側に向かうに従って幅方向Ｙの外側に互いに広がる形状とされている。
【００２０】
本実施形態では、物品収納棚１００は、奥行方向第１側Ｘ１と奥行方向第２側Ｘ２との双方に間口１１が形成されている。そのため、物品収納棚１００の奥行方向Ｘの中央部に対して、奥行方向第１側Ｘ１及び奥行方向第２側Ｘ２が手前側Ｆとなり、その反対側となる物品収納棚１００の奥行方向Ｘの中心部に向かう方向が奥側Ｒとなっている。そのため、棚形成部材３は、ガイド部７における奥行方向第１側Ｘ１の端部と奥行方向第２側Ｘ２の端部との双方に案内端部１２を有している。
【００２１】
ガイド部７における奥行方向第１側Ｘ１の端部に有する案内端部１２を第１案内端部１２Ａとし、ガイド部７における奥行方向第２側Ｘ２の端部に有する案内端部１２を第２案内端部１２Ｂとし、ガイド部７における第１案内端部１２Ａ及び第２案内端部１２Ｂ以外の部分を中央部１３とする。そして、図４に示すように、第１ガイド部７Ａの第１案内端部１２Ａは、奥行方向第１側Ｘ１に向かうに従って幅方向第１側Ｙ１となり、且つ、上側に向かうに従って幅方向第１側Ｙ１となる形状に、第１ガイド部７Ａの中央部１３に対して折り曲げられている。また、第１ガイド部７Ａの第２案内端部１２Ｂは、奥行方向第２側Ｘ２に向かうに従って幅方向第１側Ｙ１となり、且つ、上側に向かうに従って幅方向第１側Ｙ１となる形状に、第１ガイド部７Ａの中央部１３に対して折り曲げられている。また、第２ガイド部７Ｂの第１案内端部１２Ａは、奥行方向第１側Ｘ１に向かうに従って幅方向第２側Ｙ２となり、且つ、上側に向かうに従って幅方向第２側Ｙ２となる形状に、第２ガイド部７Ｂの中央部１３に対して折り曲げられている。また、第２ガイド部７Ｂの第２案内端部１２Ｂは、奥行方向第２側Ｘ２に向かうに従って幅方向第２側Ｙ２となり、且つ、上側に向かうに従って幅方向第２側Ｙ２となる形状に、第２ガイド部７Ｂの中央部１３に対して折り曲げられている。
【００２２】
図６に示すように、折り返し部８における棚板部６より上側に位置する部分を折り返し上部８Ｕとして、この折り返し上部８Ｕにおける案内端部１２と幅方向Ｙに隣接する部分は、当該案内端部１２と互いに平行に配置されている。すなわち、ガイド部７の他の部分に対する案内端部１２の折り曲げ形状と同様に、折り返し上部８Ｕは、折り返し部８の他の部分に対して折り曲げられている。
【００２３】
図３に示すように、折り返し部８における棚板部６より下側に位置する部分を折り返し下部８Ｄとして、折り返し下部８Ｄ及び折り曲げ部９は、手前側Ｆの端部に係合端部１４を有している。本実施形態では、折り返し下部８Ｄ及び折り曲げ部９の奥行方向Ｘの両端部に係合端部１４を有している。そして、係合端部１４が、梁部材２の被係合部１５に係合することで、棚形成部材３が梁部材２に下側から支持されていると共に、棚形成部材３が幅方向Ｙに移動することが規制されている。また、折り返し下部８Ｄ及び折り曲げ部９が、第１梁部材２Ａ及び第２梁部材２Ｂに対して奥側Ｒから当接することで、棚形成部材３の奥行方向Ｘの移動が規制されている。
【００２４】
ガイド部７（ここでは案内端部１２）の手前側Ｆの端部は、棚板部６、折り返し下部８Ｄ及び折り曲げ部９の手前側Ｆの端部に対して奥側Ｒに位置するように形成されている。また本実施系形態では、棚形成部材３が梁部材２に連結された状態で、ガイド部７の手前側Ｆの端部が、被係合部１５の奥行方向Ｘの幅内に位置するように形成されている。
【００２５】
２．その他の実施形態
次に、物品収納棚のその他の実施形態について説明する。
【００２６】
（１）上記の実施形態では、一対の棚形成部材３の一対の案内端部１２を、奥側Ｒから手前側Ｆに向かうに従って幅方向Ｙの外側に互いに広がり、且つ、下側から上側に向かうに従って幅方向Ｙの外側に互いに広がる形状に形成した。しかし、案内端部１２の形状はこれに限定されない。案内端部１２は、奥行方向Ｘには傾斜しているが上下方向Ｚには傾斜しない形状であってもよい。例えば、図９及び図１０に示すように、又は、図１１及び図１２に示すように、一対の棚形成部材３の一対の案内端部１２を、奥側Ｒから手前側Ｆに向かうに従って幅方向Ｙの外側に互いに広がるが、上下方向Ｚには互いに平行となる形状としてもよい。また、一対の棚形成部材３の一対の案内端部１２を、奥行方向Ｘ及び上下方向Ｚの双方について互いに平行となる形状としてもよい。
【００２７】
（２）上記の実施形態では、ガイド部７と折り返し部８とが、幅方向Ｙに隣接すると共に互いに平行に配置された構成を例として説明した。しかし、ガイド部７と折り返し部８との配置構成はこれに限定されない。例えば、ガイド部７と折り返し部８とが上側から下側に向かうに従って互いに幅方向Ｙに離間するように配置してもよい。また、上記実施形態では、ガイド部７が棚板部６に対して９０度屈曲され、折り返し部８がガイド部７に対して１８０度屈曲された構成を例として説明した。しかし、これらの屈曲角度は、このような例に限定されない。ガイド部７が棚板部６に対して９０度より大きく１８０度未満の角度（鈍角）で屈曲され、奥行方向Ｘ視での棚板部６とガイド部７とのなす角度が９０度より大きく１８０度未満とされた構成であってもよい。また、折り返し部８がガイド部７に対して１８０度未満の角度（鈍角）で屈曲され、奥行方向Ｘ視でのガイド部７と折り返し部８とのなす角度が０度より大きく９０度未満とされた構成であってもよい。このように、例えば、ガイド部７を、下側から上側に向かうに従って幅方向Ｙの外側へ向かうように傾斜させた形状とし、折り返し部８を、上下方向Ｚに沿う形状、或いは、上側から下側に向かうに従って幅方向Ｙの外側へ向かうように傾斜させた形状としてもよい。
【００２８】
（３）上記の実施形態では、第１折り返し部８Ａは、第１ガイド部７Ａの上端から下側に１回屈曲させることで下側に折り返す構成を例として説明した。しかし、第１折り返し部８Ａの折り返す形状はこれに限定されない。例えば、第１折り返し部８Ａは、第１ガイド部７Ａの上端から複数回屈曲させることで下側に折り返す構成としてもよい。具体的には、図１４に示すように、第１折り返し部８Ａを、第１ガイド部７Ａの上端から２回、９０度ずつ屈曲させることで下側に折り返す構成としてもよい。また、第２折り返し部８Ｂについても、第１折り返し部８Ａと同様に、第２ガイド部７Ｂの上端から複数回屈曲させることで下側に折り返す構成としてもよい。
【００２９】
（４）上記の実施形態では、一対の棚形成部材３の夫々における幅方向Ｙの外側の端部にガイド部７が形成された構成を例として説明した。しかし、棚形成部材３におけるガイド部７の配置構成は、これには限定されない。例えば、図１３に示すように、一対の棚形成部材３の夫々における幅方向Ｙの中央部にガイド部７を形成してもよい。この場合、１つの物品Ｗを支持する第１棚形成部材３Ａと、当該物品Ｗに対して幅方向第１側Ｙ１に隣接する位置で支持される別の物品Ｗを支持する第２棚形成部材３Ｂとが、１つの棚形成部材３として一体化された構成にできる。すなわち、この場合の棚形成部材３は、第１棚板部６Ａと、当該第１棚板部６Ａの幅方向第１側Ｙ１の端部から上側に屈曲された第１ガイド部７Ａと、第１ガイド部７Ａの上端から下側に屈曲された第２ガイド部７Ｂと、第２ガイド部７Ｂの下端から幅方向第１側Ｙ１に屈曲された第２棚板部６Ｂと、を有している。この場合、第２ガイド部７Ｂが第１折り返し部８Ａを兼ねており、第１ガイド部７Ａが第２折り返し部８Ｂを兼ねている。また、図示の例では、棚形成部材３は、第１棚板部６Ａの幅方向第２側Ｙ２の端部から下側に屈曲された第１折り曲げ部９Ａと、第２棚板部６Ｂの幅方向第１側Ｙ１の端部から下側に屈曲された第２折り曲げ部９Ｂと、更に有している。この
【００３０】
（５）上記の実施形態では、ガイド部７（案内端部１２）の手前側Ｆの端部が棚板部６の手前側Ｆの端部に対して奥側Ｒに位置するようにガイド部７を形成した。しかし、ガイド部７と棚板部６との位置関係はこれに限定されない。例えば、ガイド部７の手前側Ｆの端部が棚板部６の手前側Ｆの端部に対して手前側Ｆに位置するようにしてもよい。また、ガイド部７の手前側Ｆの端部が棚板部６の手前側Ｆの端部と奥行方向Ｘの同じ位置に配置されるようにしてもよい。
【００３１】
（６）上記の実施形態では、ガイド部７の奥行方向Ｘの全体に亘って、折り返し部８が幅方向Ｙに隣接配置された構成を例として説明した。しかし、ガイド部７に折り返し部８が隣接配置される範囲はこれに限定されない。例えば、図１１及び図１２に示すように、ガイド部７の奥行方向Ｘの一部に、折り返し部８が幅方向Ｙに隣接配置されない領域が設けられていてもよい。図１１及び図１２に示す例では、ガイド部７の中央部１３には折り返し部８が幅方向Ｙに隣接配置されているが、ガイド部７の案内端部１２には折り返し部８が幅方向Ｙに隣接配置されていない。
【００３２】
（７）上記の実施形態では、第１ガイド部７Ａの上端や第２ガイド部７Ｂの上端を、対象物品ＷＴにおける上部Ｗ２の上下幅内に位置させた構成を例として説明した。しかし、第１ガイド部７Ａの上端や第２ガイド部７Ｂの上端の位置はこれに限定されない。例えば、図１４に示すように、第１ガイド部７Ａの上端や第２ガイド部７Ｂの上端を、対象物品ＷＴにおける底部Ｗ１の上下幅内に位置させたる構成としてもよい。この場合、図１４に示すように、一対のガイド部７の幅方向Ｙの間隔Ｓ３を、第１対象物品幅Ｓ１より大きく且つ第２対象物品幅Ｓ２より小さくしてもよい。
【００３３】
（８）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００３４】
３．上記実施形態の概要
以下、上記において説明した物品収納棚の概要について説明する。
【００３５】
物品収納棚は、幅方向に並ぶ状態で立設された複数本の支柱と、前記幅方向に沿って配置され且つ前記幅方向に並ぶ一対の前記支柱に亘って架設された梁部材と、棚形成部材と、を備え、上下方向に沿う上下方向視で前記幅方向と直交する方向を奥行方向として、前記梁部材は、前記奥行方向に離間して少なくとも一対備えられ、前記棚形成部材が、前記奥行方向に沿って配置され且つ一対の前記梁部材に亘って少なくとも一対架設され、一対の前記棚形成部材の夫々は、一枚の屈曲された板状部材で構成されて、前記幅方向及び前記奥行方向に沿う棚板部と、前記棚板部から上側に屈曲されたガイド部と、前記ガイド部から下側に折り返すように屈曲された折り返し部と、を有し、前記幅方向に隣接する一対の前記棚形成部材の一対の前記ガイド部の間に、一対の当該棚形成部材の一対の前記棚板部が配置されている。
【００３６】
本構成によれば、一枚の板状部材を屈曲させることで、棚板部とガイド部と折り返し部とを備えた棚形成部材を形成することができる。そのため、棚板部が支持する物品の幅方向の位置を規制するガイド部を、棚形成部材とは別部材で構成して棚形成部材に固定する場合に比べて、物品収納棚を安価に構成し易くなる。また、棚形成部材は折り曲げ部を有することでこの折り曲げ部を、ガイド部を補強する強度メンバとして機能させることができる。そのため、ガイド部が変形し難くなり、ガイド部によって物品の幅方向の位置を適切に規制することができる。このように、本構成によれば、収納される物品の幅方向の位置を適切に規制することができると共に構成の複雑化を抑制できる物品収納棚を実現することが可能となる。
【００３７】
ここで、前記奥行方向における間口が形成される側を手前側とし、その反対側を奥側として、前記棚形成部材は、前記ガイド部における前記手前側の端部に案内端部を有し、一対の前記棚形成部材の一対の前記案内端部は、下側から上側に向かうに従って前記幅方向の外側に互いに広がると共に前記奥側から前記手前側に向かうに従って前記幅方向の外側に互いに広がる形状とされていると好適である。
【００３８】
本構成によれば、物品を奥行方向に沿って奥側に移動させる場合において、物品が棚板部に対して幅方向にずれている場合であっても、案内端部が物品に接触することで幅方向における棚部材が存在する側に物品を案内することができる。また、一対の案内端部は、下側から上側に向かうに従って幅方向の外側に互いに広がっている。そのため、特に、物品を棚部材に対して上側に持ち上げた状態で奥側に移動させる場合に、物品が棚部材に対して比較的大きく幅方向にずれている場合であっても、案内端部を物品に接触させて物品を幅方向の適切な位置に案内することができる。
【００３９】
また、前記奥行方向における間口が形成される側を手前側とし、その反対側を奥側として、前記棚形成部材は、前記ガイド部における前記棚板部及び前記折り返し部より前記手前側に突出する部分に案内端部を有し、一対の前記棚形成部材の一対の前記案内端部は、前記奥側から前記手前側に向かうに従って前記幅方向の外側に互いに広がる形状とされていると好適である。
【００４０】
本構成によれば、物品を奥行方向に沿って奥側に移動させる場合に、物品が棚板部に対して幅方向にずれている場合であっても、案内端部が物品に接触することで幅方向における棚部材が存在する側に物品を案内することができる。また、案内端部を折り返し部より手前側に突出する部分に設けているため、一対の案内端部を奥側から手前側に向かうに従って幅方向の外側に互いに広がる形状に形成し易くなっている。
【００４１】
また、前記棚形成部材によって支持される物品を対象物品とし、当該対象物品の前記幅方向の大きさを対象物品幅として、前記幅方向に隣接する一対の前記棚形成部材の一対の前記ガイド部の前記幅方向の間隔は前記対象物品幅より大きく、前記幅方向に隣接する一対の前記棚形成部材の一対の前記棚板部の前記幅方向の間隔は前記対象物品幅より小さいと好適である。
【００４２】
本構成によれば、一対の棚形成部材の一対の棚板部によって対象物品を下方から支持できる。また、このように物品を支持させるように物品を収納する又はこのように支持されている物品を取り出す場合に、一対の棚形成部材の一対のガイド部によって、物品の幅方向の位置を規制し、当該物品を奥行方向に案内することができる。
【００４３】
また、前記ガイド部と前記折り返し部とが、前記幅方向に隣接すると共に互いに平行に配置されていると好適である。
【００４４】
本構成によれば、折り返し部をガイド部に対して幅方向に隣接させて平行に配置することで、これら折り返し部及びガイド部の幅方向の配置スペースを小さく抑えることができる。従って、棚形成部材を幅方向に小さく形成することができる。
【産業上の利用可能性】
【００４５】
本開示に係る技術は、幅方向に並ぶ状態で立設された複数本の支柱と、前記幅方向に沿って配置され且つ前記幅方向に並ぶ一対の前記支柱に亘って架設された梁部材と、棚形成部材と、を備えた物品収納棚に利用することができる。
【符号の説明】
【００４６】
１：支柱
２：梁部材
３：棚形成部材
６：棚板部
７：ガイド部
８：折り返し部
１２：案内端部
Ｆ：手前側
Ｒ：奥側
Ｓ：対象物品幅
Ｓ３：間隔
Ｓ４：間隔
Ｗ：物品
ＷＴ：対象物品
Ｘ：奥行方向
Ｙ：幅方向
Ｚ：上下方向
【図１】
2020152553.tif 000003
【図２】
2020152553.tif 000004
【図３】
2020152553.tif 000005
【図４】
2020152553.tif 000006
【図５】
2020152553.tif 000007
【図６】
2020152553.tif 000008
【図７】
2020152553.tif 000009
【図８】
2020152553.tif 000010
【図９】
2020152553.tif 000011
【図１０】
2020152553.tif 000012
【図１１】
2020152553.tif 000013
【図１２】
2020152553.tif 000014
【図１３】
2020152553.tif 000015
【図１４】
2020152553.tif 000016